(57)【要約】【課題】  複数の釘シートを収容できる釘マガジンの提供。【解決手段】  相互にスライド式に組み合わされたマガジンシートとマガジンカバー、シール手段及び釘列を送り出す釘押し手段を具え、該マガジンシートが軸線方向に延伸されたマガジンウエーを具え、該マガジンカバーが径線方向に貫通してマガジンウエーと連通する釘装填ウエーを具え、該シール手段が開閉自在に該釘装填ウエーを閉じ、該釘押し手段がマガジンウエーに沿って釘列を送り出す釘押し片、該釘押し片と結合され且つ釘装填ウエーとマガジンウエーの間の区画する区画片、釘押し片と駆動ブロックを連結する連接棒を具え、積み重ねられた釘列が釘装填ウエーより挿入され区画片上に積み重ねられ、且つ毎回駆動ブロックが連接棒を駆動して釘押し片を牽引する時、該区画片が釘装填ウエーを離脱して逐次単一の釘列を下方のマガジンウエー内に落とし、釘装填の動作を完成する。【選択図】        図３
2005066818.tif 000002
【特許請求の範囲】
【請求項１】
複数の釘シートを収容できる釘マガジンにおいて、該釘マガジンは、マガジンシート、マガジンカバー、シール手段、釘押し手段を具え、
該マガジンシートは上面に形成され且つ軸線方向に沿って延伸されたマガジンウエーを具え、
該マガジンカバーはマガジンシートとスライド方式で結合され、並びに径線方向に沿って貫通し且つマガジンウエーと連通する釘装填ウエーを具え、該釘装填ウエーは該径線方向に沿って積み重ねられた釘列を収容し、
該シール手段は開閉自在に釘装填ウエーを閉じ、
該釘押し手段は少なくとも一つの釘を押し出す釘押し片、区画片、複数の連接棒、及び一つの駆動ブロックを具え、該釘押し片は弾性回復力を具え、且つマガジンウエーに沿って移動してマガジンウエーの一端近くの上限界点とマガジンウエーの別端に近い下限界点に位置することができ、該区画片はマガジンウエー内に位置し且つ釘押し片と接続され協動し、これら連接棒は一部がマガジンシートを貫通して突出し、且つそれぞれマガジンウエー内に位置する釘押し片とマガジンシート外に位置する駆動ブロックに接続され、且つ釘押し片が下限界点を離脱する時、該区画片が釘装填ウエーとマガジンウエー間を区画し、積み重ねられた釘列を区画片の上に積み重ね、駆動ブロックが連接棒を介して釘押し片を駆動して下限界点に位置させる時、該区画片が釘装填ウエーを離脱し且つ位置部が釘マガジンより突出し、単一の釘列をマガジンウエー内に落下させることを特徴とする、複数の釘シートを収容できる釘マガジン。
【請求項２】
請求項１記載の複数の釘シートを収容できる釘マガジンにおいて、シール手段はカバー、押し板、二つの支持棒、二つの弾性手段、及びレバーを具え、該カバーは一部の釘装填ウエーを封じ、該押し板は区画片上で圧迫し、支持棒は押し板と固定された一端と、カバーを貫通し突出する別端を具え、該弾性手段は支持棒外周に嵌合され且つカバーと押し板の間に位置し、該レバーは支持棒の該別端に接続され、レバーが上に支持棒を引き上げ並びに弾力を克服して押し板が上向きに駆動される時、押し板と区画片の間にギャップが形成されて釘列の挿入に供され、押し板で釘列が下向きに圧迫されることを特徴とする、複数の釘シートを収容できる釘マガジン。
【請求項３】
請求項２記載の複数の釘シートを収容できる釘マガジンにおいて、シール手段は挿入板を具え、マガジンカバーは軸線に平行な方向に沿って釘装填ウエーの対向する二側壁に形成された複数の挿入溝を具え、該挿入板が任意の挿入溝に挿入可能とされ、これにより釘装填ウエーを区画し並びに異なる長さの釘列を限位することを特徴とする、複数の釘シートを収容できる釘マガジン。
【請求項４】
請求項１記載の複数の釘シートを収容できる釘マガジンにおいて、区画片が複数の尖歯を具えた前端を具え、各尖歯が前端より下向きに傾斜する斜面を具え、区画片が釘装填ウエーを離脱する時、釘列が尖歯の斜面の傾斜により、順調にマガジンウエー内に滑り落ちることを特徴とする、複数の釘シートを収容できる釘マガジン。
【請求項５】
請求項１記載の複数の釘シートを収容できる釘マガジンにおいて、マガジンカバーがマガジンウエー内にあって釘列の頭を当接させる斜壁を具え、該斜壁は釘列積み重ね時に釘の頭を順次交錯するよう配列する時に形成される勾配に合わせた傾斜に形成されたことをすることを特徴とする、複数の釘シートを収容できる釘マガジン。
【発明の詳細な説明】
【技術分野】
【０００１】
本発明は一種の釘マガジンに係り、特に釘列を補充でき複数の釘片を収容できる釘マガジンに関する。
【背景技術】
【０００２】
図１、２は特許文献１に記載の釘打ち銃の釘マガジンの構造を示す。それは、マシンボデー１１、該マシンボデー１１の一端に固定された釘送出シート１２、該マシンボデー１１の別端に設置された釘押し手段１３、支持軸１４、釘マガジン１５及び係合手段１６を具えている。該釘送出シート１２は釘を送出できる送出口１２１を具えている。該釘押し手段１３は座体１３１及び座体１３１より釘送出シート１２の送出口１２１に向けて進出する釘押し片１３２を具えている。該支持軸１４は釘送出シート１２と座体１３１を接続する。該釘マガジン１５の横断面は扇形とされ、並びに一端に形成されて支持軸１４と枢設された細辺１５１、別端に形成されて円弧形を呈する広辺１４２、及び細辺１５１から広辺１５２に向けて延伸され且つ放射状に配列された四つの釘溝１５３、広辺１５２に形成され且つ釘溝１５３に対応する四つの位置決め孔１５４を具えている。該係合手段１６は座体１３１に固定されてそのうち一つの位置決め孔１５４と係合する。
【０００３】
使用時には、釘マガジン１５の釘溝１５３に釘列２が挿入され、釘マガジン１５が支持軸１４を回転中心とし、支持軸１４の回りを回動し、そのうち一つの釘溝１５３と釘送出シート１２の送出口１２１及び釘押し片１３２が対応する時、更に係合手段１６と対応する位置決め孔１５４が対応し、釘マガジン１５が位置決めされる。これにより、釘押し片１３２が釘溝１５３に沿って釘列２を押し出して釘送出シートの送出口１２１内に進入させる。且つ該釘列２が使い果たされると、重複して上述の動作が行なわれ、別の釘溝１５３と釘送出シート１２の送出口１２１と釘押し片１３２で釘充填の動作が行なわれる。しかし、上述の釘マガジン１５は続けて釘列２補充が行なえるものの、実際の使用時には以下のような欠点があり、解決が求められている。
【０００４】
即ち、釘マガジン１５には只四つの釘溝１５３しか設けられておらず、このためその量は四回釘充填が行なえるだけであり、一般の釘打ち銃と較べると、釘装填の動作を効果的に簡易化できない。且つ釘マガジン１５は釘溝１５３を釘送出シート１２の送出口及び釘押し片１３２に対応させなければならず、一旦釘マガジン１５に偏移が発生すると釘が引っかかったり釘押し動作が順調でなくなり、使用上、不便と問題を形成する。
【０００５】
【特許文献１】台湾実用新案公告第５０９１３５号明細書
【発明の開示】
【発明が解決しようとする課題】
【０００６】
本発明の複数の釘シートを収容できる釘マガジンは、マガジンシートとマガジンカバー、シール手段及び釘押し手段を具えている。該マガジンシートは上面に形成され且つ軸線方向に沿って延伸されたマガジンウエーを具えている。該マガジンカバーはマガジンシートとスライド方式で結合され、並びに径線方向に沿って貫通し且つマガジンウエーと連通する釘装填ウエーを具え、該釘装填ウエーは該径線方向に沿って積み重ねられる釘列を収容する。該シール手段は開閉自在に釘装填ウエーを閉じる。該釘押し手段は少なくとも一つの釘を押し出す釘押し片、区画片、複数の連接棒、及び一つの駆動ブロックを具えている。該釘押し片は弾性回復力を具え、且つマガジンウエーに沿って移動してマガジンウエーの一端近くの上限界点とマガジンウエーの別端に近い下限界点に位置し、該区画片はマガジンウエー内に位置し且つ釘押し片と接続され協動し、これら連接棒は釘押し片と固定された一端と、マガジンシートを貫通し且つ駆動ブロックと固定された一端を具え、且つ釘押し片が下限界点を離脱した時、該区画片は釘装填ウエーとマガジンウエーの間を区画し、積み重ねられた釘列を区画片上に積み重ね、層ブロックが連接棒を駆動して釘押し片を下限界点に位置させる時、該区画片は釘装填ウエーを離脱し且つ一部が釘マガジンより突出し、単一の釘列をマガジンウエー内に落とす。
【０００７】
本発明の機能は使用の便利性を増すことにある。
【課題を解決するための手段】
【０００８】
請求項１の発明は、複数の釘シートを収容できる釘マガジンにおいて、該釘マガジンは、マガジンシート、マガジンカバー、シール手段、釘押し手段を具え、
該マガジンシートは上面に形成され且つ軸線方向に沿って延伸されたマガジンウエーを具え、
該マガジンカバーはマガジンシートとスライド方式で結合され、並びに径線方向に沿って貫通し且つマガジンウエーと連通する釘装填ウエーを具え、該釘装填ウエーは該径線方向に沿って積み重ねられた釘列を収容し、
該シール手段は開閉自在に釘装填ウエーを閉じ、
該釘押し手段は少なくとも一つの釘を押し出す釘押し片、区画片、複数の連接棒、及び一つの駆動ブロックを具え、該釘押し片は弾性回復力を具え、且つマガジンウエーに沿って移動してマガジンウエーの一端近くの上限界点とマガジンウエーの別端に近い下限界点に位置することができ、該区画片はマガジンウエー内に位置し且つ釘押し片と接続され協動し、これら連接棒は一部がマガジンシートを貫通して突出し、且つそれぞれマガジンウエー内に位置する釘押し片とマガジンシート外に位置する駆動ブロックに接続され、且つ釘押し片が下限界点を離脱する時、該区画片が釘装填ウエーとマガジンウエー間を区画し、積み重ねられた釘列を区画片の上に積み重ね、駆動ブロックが連接棒を介して釘押し片を駆動して下限界点に位置させる時、該区画片が釘装填ウエーを離脱し且つ位置部が釘マガジンより突出し、単一の釘列をマガジンウエー内に落下させることを特徴とする、複数の釘シートを収容できる釘マガジンとしている。
請求項２の発明は、請求項１記載の複数の釘シートを収容できる釘マガジンにおいて、シール手段はカバー、押し板、二つの支持棒、二つの弾性手段、及びレバーを具え、該カバーは一部の釘装填ウエーを封じ、該押し板は区画片上で圧迫し、支持棒は押し板と固定された一端と、カバーを貫通し突出する別端を具え、該弾性手段は支持棒外周に嵌合され且つカバーと押し板の間に位置し、該レバーは支持棒の該別端に接続され、レバーが上に支持棒を引き上げ並びに弾力を克服して押し板が上向きに駆動される時、押し板と区画片の間にギャップが形成されて釘列の挿入に供され、押し板で釘列が下向きに圧迫されることを特徴とする、複数の釘シートを収容できる釘マガジンとしている。
請求項３の発明は、請求項２記載の複数の釘シートを収容できる釘マガジンにおいて、シール手段は挿入板を具え、マガジンカバーは軸線に平行な方向に沿って釘装填ウエーの対向する二側壁に形成された複数の挿入溝を具え、該挿入板が任意の挿入溝に挿入可能とされ、これにより釘装填ウエーを区画し並びに異なる長さの釘列を限位することを特徴とする、複数の釘シートを収容できる釘マガジンとしている。
請求項４の発明は、請求項１記載の複数の釘シートを収容できる釘マガジンにおいて、区画片が複数の尖歯を具えた前端を具え、各尖歯が前端より下向きに傾斜する斜面を具え、区画片が釘装填ウエーを離脱する時、釘列が尖歯の斜面の傾斜により、順調にマガジンウエー内に滑り落ちることを特徴とする、複数の釘シートを収容できる釘マガジンとしている。
請求項５の発明は、請求項１記載の複数の釘シートを収容できる釘マガジンにおいて、マガジンカバーがマガジンウエー内にあって釘列の頭を当接させる斜壁を具え、該斜壁は釘列積み重ね時に釘の頭を順次交錯するよう配列する時に形成される勾配に合わせた傾斜に形成されたことをすることを特徴とする、複数の釘シートを収容できる釘マガジンとしている。
【発明の効果】
【０００９】
本発明は釘押し手段を引っ張る動作だけで、積み重ねられた釘列を径線方向に沿って逐一マガジンウエー内に充填でき、位置合わせの問題がないのみならず、釘装填時の順調性を高め、且つ積み重ねられた釘列が連続して数十回以上の釘装填動作を完成でき、これにより大幅に釘装填動作を簡易化でき、釘装填時の便利性を増すことができる。
【発明を実施するための最良の形態】
【００１０】
以下に二つの好ましい実施例を挙げて本発明を説明する。なお、以下の説明中、類似の部品は同じ符号を以て表示される。
【００１１】
図３、４は本発明の複数の釘シートを収容できる釘マガジンの実施例であり、それは、マガジンシート３とマガジンカバー４、シール手段５及び釘押し手段６を具えている。該マガジンシート３は上面３１に形成され且つ軸線Ｘ方向に沿って延伸されたマガジンウエー３２と、軸線Ｘ方向に沿ってマガジンシート３を貫通し且つマガジンウエー３２に対応する貫通口３３を具えている。該マガジンウエー３２は釘打ち銃の釘座（図示せず）に隣接する上端３２１、及び上端３２１と反対の方向にある下端３２２を具えている。
【００１２】
該マガジンカバー４は、マガジンシート３とスライド方式で組み合わされ、並びに径線Ｙ方向に沿って貫通し且つマガジンウエー３２と連通する釘装填ウエー４１を具えている。
【００１３】
該シール手段５はカバー５１、押し板５２、二つの支持棒５３、二つの弾性手段５４、及びレバー５５を具えている。該カバー５１は一部の釘装填ウエー４１を封じる。該押し板５２は釘装填ウエー４１内に収容される。これら支持棒５３は押し板５２と固定された下端５３１（図６参照）と、カバー５１を貫通し突出する上端５３２（図６参照）を具えている。該弾性手段５４は圧縮バネとされ、並びに支持棒５３外周に嵌合され且つカバー５１と押し板５２の間に位置し、押し板５２に下向きの圧力を具備させる。該レバー５５は支持棒５３の上端５３２に接続され、レバー５５が上に支持棒５３を引き上げ並びに弾力を克服する時、押し板５２が上向きに駆動される。
【００１４】
該釘押し手段６は弾性回復可能な釘押し片６１、区画片６２、複数の連接棒６３、及び一つの駆動ブロック６４を具えている。該該釘押し片６１はマガジンシート３のマガジンウエー３２に沿ってスライドし、且つマガジンウエー３２の前端３２１近くの上限界点Ｉ（図５参照）とマガジンウエー３２の後端３２２に近い下限界点ＩＩ（図６参照）に位置することができる。該釘押し片６１は後端に形成された複数のリブ６１１を具えている。該区画片６２はマガジンウエー３２内に収容され、並びに該径線方向に沿って延伸され且つリブ６１１の挿通に供される複数の長溝６２１、及び前端に形成された複数の尖歯６２２を具えている。各尖歯６２２は前端より下向きに傾斜する斜面を具えている。これら連接棒６３は一部がマガジンシート３を挿通し、且つマガジンウエー３２内に位置する釘押し片６１及びマガジンウエー３２外に位置する駆動ブロック６４に接続され、駆動ブロック６４と釘押し片６１に協動を形成させる。
【００１５】
図５に示されるように、マガジンシート３のマガジンウエー３２内に釘列が収容されていない時、且つ釘押し片６１が上限界点Ｉに位置する時、該釘押し片６１のリブ６１１は区画片６２の長溝６２１の一端に移動し、更に区画片６２を駆動してマガジンウエー３２に沿って前端３２１へと移動させ、区画片６２にマガジンウエー３２と釘装填ウエー４１の間を区画させる。
【００１６】
図６を参照されたい。このとき、径線方向に沿って積み重ねられた釘列２をカバー５１と釘装填ウエー４１の空隙より釘装填ウエー４１内に挿入し、並びに上向きにレバー５５を引くと、支持棒５３が駆動され並びに弾性手段５４の弾力を克服し、押し板５２と区画片５２との間にギャップが形成され、積み重ねられた釘列２が挿入され、その後、レバー５５を離すと、押し板５２が下向きに積み重ねられた釘列２を下向きに圧迫して区画片６２の上に積み重ねる。
【００１７】
図７に示されるように、釘を装填する時、図面の右側に沿って駆動ブロック６４を引けば、駆動ブロック６４が連接棒６３を介して釘押し片６１を駆動して下限界点ＩＩに移動させ、釘押し片６１が上限界点Ｉから下限界点ＩＩに移動する過程で、該釘押し片６１がリブ６１１で区画片６２の長溝６２１に沿ってスライドして長溝６２１の別端に至り、更に区画片６２を駆動しマガジンウエー３２の後端３２２に向けて移動させ、且つ区画片６２の一部が貫通口３３より突出する。
【００１８】
図８に示されるように、この時、該区画片６２は釘装填ウエー４１を離脱し、且つ積み重ねられた釘列２は押し板５２に圧迫されて下に移動し、最下層に位置する単一の釘列２’が区画片６２の尖歯６２２（図７参照）の斜面に沿って順調にマガジンウエー３２中に進入する。図９に示されるように、これにより、ただ駆動ブロック６４を開放すれば、釘押し片６１がもとの位置に戻り、釘押し片６１がマガジンウエー３２に沿って移動する過程で、釘列２’がマガジンウエー３２の前端３２１に向けて移動し、釘充填の動作を完成する。
【００１９】
且つ釘列２’が使い果たされ、釘押し片６１が新たに上限界点Ｉの位置に戻ると、重複して上述の図５から図９の動作を行なえ、連続して釘列２を補充する目的を達成することができる。
【００２０】
図１０に示されるように、本発明のマガジンシート３とマガジンカバー４は周知の技術と同様に相互にスライド式に分離可能で、且つマガジンカバー４は更に背面４２に沿って延伸された釘ウエー４３を具え、使用者がマガジンカバー４の背面４２の釘ウエー４３内に釘列２’を充填し、マガジンカバー４をマガジンシート３に結合させた後、同様に釘列２’をマガジンウエー３２中に収容できる。これにより、マガジンシート３とマガジンカバー４を分離して故障の排除が行なえ、且つ一回に一片の釘列２’を挿入するか或いは複数の釘列２’を挿入する釘充填動作を行なうことができる。
【００２１】
図１１を参照されたい。本発明は複数の並列に配列された釘押し片６５により釘列２’を送り出すこともできる。これにより、釘押し片６５は連続し且つ釘列２’の長さに相当する釘押しエリアを形成し、釘列２’の寸法に合わせて長さ変化を具備でき、安定し順調な釘列２’の押し出しが行なえる。
【００２２】
図１２に示されるように、このほか、釘列７によっては突出した頭７１と頭７１より延伸されたシャンク７２を具えている。このため、釘列７を平らに積み重ねて頭７１の影響を受けないようにするため、釘列７を積み重ねる時に、頭７１を交錯するように隣り合わせ、積み重ねた釘列７の頭７１の部分に勾配を形成させる。該マガジンカバー４はこの釘列７の勾配に合わせて釘装填ウエー４１内に釘列７の頭７１を当接させる斜壁４４を具えている。これにより釘列７を限位する目的が達成される。
【００２３】
図１３、１４は本発明の第２実施例を示し、それは第１実施例と大体は同じであるが、以下の点が異なっている。
【００２４】
該区画片６２は直接加圧加工方式で形成され、釘押し片６５の一端６５１が当接する凸縁６２３が形成されている。これにより、釘押し片６５がマガジンウエー３２に沿って移動する時、矢印方向に沿って凸縁５２３を押し、区画片６２を釘装填ウエー４１より離脱させ、釘装填の動作を完成する。
【００２５】
該マガジンカバー４は軸線Ｘ方向に沿って釘装填ウエー４１の対向する二側壁に形成された複数の挿入溝４１１を具えている。且つ該シール手段５は挿入板５６を具え、該挿入板５６は任意の挿入溝４１１と結合可能で、これにより釘装填ウエー４１の釘収容可能な空間を設定でき、これにより異なる長さの釘列を限位できる。
【００２６】
以上をまとめると、本発明は以下のような長所及び効果を有している。
【００２７】
本発明は釘押し手段６を引っ張る動作だけで、積み重ねられた釘列２、７を径線Ｙ方向に沿って逐一マガジンウエー３２内に充填でき、位置合わせの問題がないのみならず、釘装填時の順調性を高め、且つ積み重ねられた釘列２、７が連続して数十回以上の釘装填動作を完成でき、これにより大幅に釘装填動作を簡易化でき、釘装填時の便利性を増すことができる。
【００２８】
以上は本発明の好ましい実施例の説明であって、本発明の実施範囲を限定するものではなく、本発明に基づきなしうる細部の修飾或いは改変は、いずれも本発明の請求範囲に属するものとする。
【図面の簡単な説明】
【００２９】
【図１】特許文献１に記載の構造の立体分解図である。
【図２】特許文献１に記載の構造の組合せ後の立体図である。
【図３】本発明の第１実施例の立体分解図である。
【図４】本発明の第１実施例の組合せ後の立体図である。
【図５】本発明の第１実施例の釘押し片が上限界点に位置する時の平面図である。
【図６】本発明の第１実施例の釘押し片が上限界点に位置する時、区画片がマガジンウエーと釘装填ウエーを区画する状態を示す断面図である。
【図７】本発明の第１実施例の釘押し片が下限界点に位置する時の平面図である。
【図８】本発明の第１実施例の釘押し片が下限界点に位置する時、区画片が釘装填ウエーを離脱する状態を示す断面図である。
【図９】本発明の第１実施例の釘押し片が釘列を押し出す状況を示す平面図である。
【図１０】本発明の第１実施例のマガジンカバーがマガジンシートと分離され、且つマガジンカバーに釘装填動作が行なわれる時の背面図である。
【図１１】本発明の第１実施例の釘押し片の別の実施態様表示図である。
【図１２】本発明の第１実施例のマガジンカバーに釘列を限位する斜壁が設けられた状態を示す平面図である。
【図１３】本発明の第２実施例の立体分解図である。
【図１４】本発明の第２実施例のマガジンカバーに釘列を限位する挿入板が設けられた状態を示す立体図である。
【符号の説明】
【００３０】
２  釘列                              ５３２  下端
２’  釘列                            ５４  弾性手段
３  マガジンシート                    ５５  レバー
３１  上面                            ５６  挿入板
３２  マガジンウエー                  ６  釘押し手段
３２１  前端                          ６１  釘押し片
３２２  後端                          ６１１  リブ
３３  貫通口                          ６２  区画片
４  マガジンカバー                    ６２１  長溝
４１  釘装填ウエー                    ６２２  尖歯
４１１  挿入溝                        ６２３  凸縁
４２  背面                            ６３  連接棒
４３  釘ウエー                        ６３１  一端
４４  斜壁                            ６３２  別端
５  シール手段                        ６４  駆動ブロック
５１  カバー                          ６５  釘押し片
５２  押し板                          ７  釘列
５３  支持棒                          ７１  頭
５３１  上端                          ７２  釘打ち銃
【図１】
2005066818.tif 000003
【図２】
2005066818.tif 000004
【図３】
2005066818.tif 000005
【図４】
2005066818.tif 000006
【図５】
2005066818.tif 000007
【図６】
2005066818.tif 000008
【図７】
2005066818.tif 000009
【図８】
2005066818.tif 000010
【図９】
2005066818.tif 000011
【図１０】
2005066818.tif 000012
【図１１】
2005066818.tif 000013
【図１２】
2005066818.tif 000014
【図１３】
2005066818.tif 000015
【図１４】
2005066818.tif 000016